(57)【要約】【課題】撮影レンズの焦点調節状態を、設定された複数の焦点検出エリアの被写体を基準として認識することができるフォーカスアシスト装置の提供。【解決手段】被写界に少なくとも２つの焦点検出エリア１７１Ａ，１７１Ｂが設定でき、各焦点検出エリア１７１Ａ，１７１Ｂの被写体を基準として、現在のレンズ位置における焦点調節状態、すなわち、被写体Ａ，Ｂの両方に関して前ピンか後ピンか、それとも被写体Ａ，Ｂ間にピントが合っているかを、マーク１７２，１７５の表示形態から容易に知ることができる。そのため、マニュアルフォーカス時に、現在のレンズ位置の概略を素早く知ることができる。また、マニュアルで被写体Ａ，Ｂ間にピントを合わせたい場合にも、表示形態を参考にして簡単にフォーカシングを行うことができる。【選択図】図２
2007240935.tif 000002
【特許請求の範囲】
【請求項１】
撮影レンズの焦点調節状態を報知するフォーカスアシスト装置において、
被写界に少なくとも２つの焦点検出エリアを設定する設定手段と、
前記焦点検出エリアの被写体を基準とする前記焦点調節状態を報知する報知手段とを備えたことを特徴とするフォーカスアシスト装置。
【請求項２】
請求項１に記載のフォーカスアシスト装置において、
前記報知手段は、前記焦点検出エリアの被写体に合焦しているか否かを報知することを特徴とするフォーカスアシスト装置。
【請求項３】
請求項１または２に記載のフォーカスアシスト装置において、
前記撮影レンズで結像された被写体像を撮像する撮像手段と、
前記焦点検出エリアの被写体に関する撮像信号から高周波数成分を抽出して、焦点評価値を生成する生成手段とを備え、
前記報知手段は、フォーカスレンズの移動に伴う前記焦点評価値の変化に基づいて前記焦点調節状態を報知することを特徴とするフォーカスアシスト装置。
【請求項４】
請求項１〜３のいずれか一項に記載のフォーカスアシスト装置において、
前記報知手段は、焦点調節状態を表示する表示部を備えたことを特徴とするフォーカスアシスト装置。
【請求項５】
請求項１〜４のいずれか一項に記載のフォーカスアシスト装置を備えたことを特徴とするカメラ。
【請求項６】
請求項５に記載のカメラにおいて、
前記表示部は、ファインダ内表示であることを特徴とするカメラ。
【発明の詳細な説明】
【技術分野】
【０００１】
本発明は、フォーカスアシスト装置、および、そのフォーカスアシスト装置を備えたカメラに関する。
【背景技術】
【０００２】
従来、マニュアルでフォーカスを合わせる際に、ビューファインダにフォーカスアシスト用の表示を行う装置が知られており、その表示により、合焦状態であるか、合焦方向に操作しているか、非合焦方向に操作しているか等を知ることができる（例えば、特許文献１参照）。
【０００３】
【特許文献１】特開２００４−２２１７４１号公報
【発明の開示】
【発明が解決しようとする課題】
【０００４】
しかしながら、上述した従来の装置では、画面全体または画面の一部分の撮像信号を用いているので、画面全体または一部分から得られる一領域の撮像情報を用いて焦点状態を求めている。そのため、フォーカスエリアの被写体に関してピントが合っているか否かは表示から認識できるが、画面内の複数の被写体のどの辺りにピントが合っているかを知るのは困難であった。
【課題を解決するための手段】
【０００５】
請求項１の発明は、撮影レンズの焦点調節状態を報知するフォーカスアシスト装置に適用され、被写界に少なくとも２つの焦点検出エリアを設定する設定手段と、焦点検出エリアの被写体を基準とする焦点調節状態を報知する報知手段とを備えたことを特徴とする。
請求項２の発明は、請求項１に記載のフォーカスアシスト装置において、焦点検出エリアの被写体に合焦しているか否かを報知するようにしたものである。
請求項３の発明は、請求項１または２に記載のフォーカスアシスト装置において、撮影レンズで結像された被写体像を撮像する撮像手段と、焦点検出エリアの被写体に関する撮像信号から高周波数成分を抽出して、焦点評価値を生成する生成手段とを備え、フォーカスレンズの移動に伴う焦点評価値の変化傾向に基づいて焦点調節状態を報知するものである。
請求項４の発明は、請求項１〜３のいずれか一項に記載のフォーカスアシスト装置において、焦点調節状態を表示する表示部を備えたものである。
請求項５の発明によるカメラは、請求項１〜４のいずれか一項に記載のフォーカスアシスト装置を備えたことを特徴とする。
請求項６の発明は、請求項５に記載のカメラにおいて、表示部は、ファインダ内表示であることを特徴とする。
【発明の効果】
【０００６】
本発明によれば、撮影レンズの焦点調節状態を、設定された焦点検出エリアの被写体を基準として認識することができる。
【発明を実施するための最良の形態】
【０００７】
以下、図を参照して本発明を実施するための最良の形態について説明する。図１は、本発明の一実施の形態に係るカメラを説明する図であって、マニュアルフォーカス（ＭＦ）モードを搭載したオートフォーカス（ＡＦ）電子カメラの要部構成を示すブロック図である。電子カメラは、撮影レンズユニット１、撮像素子２、Ａ／Ｄ変換器３、メモリ４、画像処理回路５、コントロール回路８、ＣＰＵ１１、絞り１２、表示モニタ１７および操作入力部１８、フォーカスレンズ位置検出装置１９等を備えている。
【０００８】
ＣＰＵ１１は、ＡＥ／ＡＷＢ回路７と、評価値演算部９と、カメラ全体の制御を行う制御部１０とを含む。ＣＰＵ１１は、コントロール回路８およびメモリ４等と接続され、電子カメラの焦点検出(ＡＦ)や測光(ＡＥ)、ホワイトバランス調整(ＡＷＢ)などの各種演算とカメラ動作のシーケンス制御とを行う。
【０００９】
撮影レンズユニット１はレンズ１ａ，１ｂを備えており、レンズ１ｂは焦点調節用のフォーカスレンズである。撮影レンズユニット１は、単一焦点距離（固定焦点）のレンズでも良いし、ズームレンズやステップズームレンズのように焦点可変のものでもかまわない。絞り１２は、絞り駆動部１３によって開閉駆動される。フォーカスレンズ１ｂのレンズ位置はフォーカスレンズ位置検出装置１９により検出され、検出値は制御部１０に入力される。
【００１０】
上述したように、本実施の形態のカメラはＭＦモードを搭載しており、操作入力部１８に設けられたモード切替ボタン１８０（後述する図２を参照）を操作することにより、ＡＦモードとＭＦモードとを切り替えることができる。ＡＦモード時には、ＡＦ駆動部１４を制御部１０により制御し、フォーカスレンズ１ｂを光軸方向に移動させて焦点調節を行う。一方、ＭＦモード時には、フォーカスリング１５を回転操作することによりフォーカスレンズ１ｂを移動させる。
【００１１】
撮像素子２は、例えば、二次元ＣＣＤイメージセンサなどによって構成され、撮像面上の被写体像を撮像して、各画素に対応する撮像信号を出力する。撮像素子２から出力される撮像信号は、各画素に入射される光の強さに応じてその信号レベルが異なる。本実施形態では撮像素子２としてＣＣＤ撮像素子を用いているが、ＣＣＤの代わりにＣＭＯＳセンサやＣＩＤなどを用いて構成してもよい。コントロール回路８は、撮像素子２に対するタイミング信号を生成して撮像素子２へ送出する。
【００１２】
撮像素子２から出力された撮像信号は、Ａ／Ｄ変換器３によってディジタル信号に変換された後に、メモリ４に格納される。画像処理回路５はメモリ４から撮像信号を読み込んで各種信号処理を行った後に、所定の形式（例えば、ＪＰＥＧ形式）の画像データに変換し、その画像データをメモリ４または外部記憶回路６に記憶させる。画像処理回路５は、外部記憶回路６に記録されている圧縮データを読み出して伸長する際の伸長処理も行う。外部記憶回路６は、例えば、メモリカードなどのデータストレージ手段によって構成される。
【００１３】
ＡＥ／ＡＷＢ回路７は、周知の露出演算やホワイトバランス調整処理を行う。ホワイトバランス調整処理は、メモリ４に格納されている画像データに対して行われる。評価値演算部９は、撮影レンズユニット１の焦点調節状態を表す焦点評価値を演算する。すなわち、メモリ４に格納されている画像処理前の画像データのうち、焦点検出用領域（フォーカスエリア）に対応する撮像領域の画像データから高周波数成分を抽出し、抽出された高周波成分の絶対値を積算する。この積算結果は焦点評価値と呼ばれている。
【００１４】
なお、上述した説明では、メモリ４に記憶した画像データに基づいて焦点評価値を算出する構成としたが、Ａ／Ｄ変換器３の出力を逐次評価値演算部９へ送り、データ転送と同時に焦点評価値を算出するような構成としても良い。また、本実施の形態では、上述した評価値演算部９の処理は、実際にはＣＰＵ１１においてソフトウェアにより処理されているが、ハードウェアによってこれらの機能を実現するようにしても良い。
【００１５】
表示モニタ１７はカメラ背面に設けられたＬＣＤ表示素子から成り、駆動回路１６によって駆動される。表示モニタ１７には、例えば、画像処理回路５で生成された画像データに基づく撮影画像が表示される。図２は、カメラ背面に設けられた表示モニタ１７、および操作入力部１８に設けられた各種操作ボタン類を示す図である。１８０は、ＡＦモードとＭＦモードとを切り替えるためのモード切替ボタンである。１８１は十字型選択ボタンであり、フォーカスエリアを設定するための矢印キー１８１ａ〜１８１ｄと確定キー１８１ｅが設けられている。
【００１６】
モード切替ボタン１８０を操作してＭＦモードに切り替えると、図２に示すようなマニュアルフォーカスモードにおける表示が表示モニタ１７に表示される。表示モニタ１７は撮影範囲を示す視野枠１７０が表示され、その視野枠１７０内には、撮像素子２により撮像されている被写体画像（いわゆるスルー画）が表示される。画面中央には、フォーカスエリア１７１が被写体画像にスーパーインポーズ表示されている。視野枠１７０の外側にはフォーカスアシスト用のマーク１７２〜１７５が表示されている。
【００１７】
本実施の形態におけるフォーカスアシスト機能では、マニュアル設定された複数のフォーカスエリアに関して、フォーカスレンズ１ｂのレンズ位置すなわちフォーカスリング１５の回転位置におけるピント状態を知ることができる。以下では、２つのフォーカスエリアをマニュアル設定した場合を例に説明するが、３つ以上に関しても同様に適用することができる。
【００１８】
《フォーカスアシスト機能の説明》
本実施の形態におけるフォーカスアシスト機能について、図３のフローチャートを参照しながら説明する。図２に示したモード切替ボタン１８０を操作してＭＦモードに切り替えると、図３に示すフローチャートのプログラムがスタートする。ステップＳ１では、図２に示したようなＭＦモード表示を表示モニタ１７に表示する。
【００１９】
ステップＳ２では、第１のフォーカスエリア１７１Ａが設定されたか否かを判定する。撮影者は、十字型選択ボタン１８１の矢印キー１８１ａ〜１８１ｄを操作して、図４（ａ）に示すようにフォーカスエリア１７１を所望の被写体Ａまで移動し、確定キー１８１ｅを押して第１のフォーカスエリア１７１Ａの位置を確定する。
【００２０】
フォーカスエリア１７１Ａが設定されると、ステップＳ２からステップＳ３へ進み、第２のフォーカスエリア１７１Ｂが設定されたか否かを判定する。なお、フォーカスエリア１７１Ａが設定されると表示は図４（ｂ）のように切り替わり、設定されたフォーカスエリア１７１Ａとともにフォーカスエリア１７１が視野枠中央に表示される。再び十字型選択ボタン１８１を操作してフォーカスエリア１７１を被写体Ｂまで移動して確定すると、第２のフォーカスエリア１７１Ａの位置が確定され、２つのフォーカスエリア１７１Ａ，１７１Ｂが被写体Ａ，Ｂ上に表示される。
【００２１】
第２のフォーカスエリア１７１Ｂが設定されると、ステップＳ３からステップＳ４へと進む。続くステップＳ４〜ステップＳ８までの一連の処理は、フォーカスレンズ１ｂを至近端から無限端まで全域スキャン移動して焦点評価値を取得するサーチスキャン処理である。まず、ステップＳ４においてフォーカスレンズ１ｂを至近端へ移動し、ステップＳ５でフォーカスレンズ１ｂを所定ステップ無限端方向へ移動する。
【００２２】
ステップＳ６では、各フォーカスエリア１７１Ａ，１７１Ｂの撮像信号を用いて、各フォーカスエリア１７１Ａ，１７１Ｂの被写体の焦点評価値をそれぞれ演算する。ステップＳ７では、ステップＳ６で算出された焦点評価値をレンズ位置とともに記憶する。ステップＳ８では、フォーカスレンズ１ｂのレンズ位置が無限端か否かを判定し、ＮＯと判定されるとステップＳ４へ戻り、ＹＥＳと判定されるとステップＳ９へ進む。なお、ステップＳ８までのサーチスキャン終了の後に、フォーカスレンズ１ｂをサーチスキャン開始直前のレンズ位置へと移動させるようにしても良い。
【００２３】
このサーチスキャンにより、焦点評価値のピーク値とピークとなるレンズ位置の概略値が得られる。図５は、フォーカスエリア１７１Ａ，１７１Ｂの被写体の焦点評価値を模式的に示したものであり、縦軸は焦点評価値、横軸はフォーカスレンズ１ｂのレンズ位置である。フォーカスレンズ１ｂを至近端から無限端まで移動するサーチスキャンにより、フォーカスエリア１７１Ａに関しては評価値曲線Ｌａ上の焦点評価値が離散的に得られ、フォーカスエリア１７１Ｂに関しては評価値曲線Ｌｂ上の焦点評価値が離散的に得られる。離散的に得られる焦点評価値のデータ数は、ステップＳ５における所定ステップの大きさに依存する。評価値曲線Ｌａはレンズ位置ｘａにおいてピーク値Ｐａをとり、評価値曲線Ｌｂはレンズ位置ｘｂにおいてピーク値Ｐｂをとる。
【００２４】
ステップＳ９では、ステップＳ４からステップＳ８までのサーチスキャン処理で取得された焦点評価値に基づいて、各フォーカスエリア１７１Ａ，１７１Ｂの焦点評価値に関する合焦閾値Ath，Bthを算出するとともに、ピーク幅Δｘを設定する。合焦閾値Ath，Bthおよびピーク幅Δｘは、後述するフォーカスアシスト表示において合焦とみなすか否かを判定するための基準値であり、例えば、評価値曲線Ｌａ，Ｌｂのピーク値の８０％を合焦閾値Ath，Bthに設定する。また、ピーク幅Δｘは絞り値に応じて設定され、絞り値が大きい場合には被写界深度は深くなって、ピーク位置からの評価値減少の程度が小さくなるので、ピーク幅を小さめに設定し、絞り値が小さい場合には逆にピーク幅を大きめに設定する。
【００２５】
ステップＳ１０では、フォーカスレンズ１ｂが所定パルス移動したか否かを判定する。撮影者がフォーカスリング１５を回転操作して、その時のレンズ移動量が所定パルスになるとステップＳ１０でＹＥＳと判定されてステップＳ１１へ進む。一方、フォーカスリング１５の操作が無い場合や、移動量が所定パルス以上とならない間は、ＮＯと判定されてステップＳ１４へ進む。
【００２６】
ステップＳ１１では、各フォーカスエリア１７１Ａ，１７１Ｂに関して、現在のレンズ位置の焦点評価値と前回算出された焦点評価値との差ΔＣＡ，ΔＣＢを算出する。なお、ステップＳ１１が初めて実行される場合には、サーチスキャン終了時に取得された焦点評価値を前回の焦点評価値とし、ステップＳ１１が２回以上実行されている場合には、１回前のステップＳ１１で取得された焦点評価値を前回の焦点評価値とする。
【００２７】
ステップＳ１２では、図１に示したフォーカスレンズ位置検出装置１９の検出値に基づいて、フォーカスレンズ１ｂの移動方向を求める。ステップＳ１３では、算出された合焦閾値Ath，Bth，ピーク幅Δｘ，差ΔＣＡ，ΔＣＢおよびレンズ移動方向に基づいて、フォーカスアシスト表示処理を行う。なお、フォーカスアシスト表示の詳細については後述する。
【００２８】
ステップＳ１４では、モード切替ボタン１８０が操作されてＭＦモードからＡＦモードに切り替えられたか否かを判定する。ステップＳ１４でＮＯと判定されるとステップＳ１０へ戻り、ＹＥＳと判定されるとステップＳ１５へ進んで、表示モニタ１７の表示をＡＦモード表示に切り替えて一連のフォーカスアシスト処理を終了する。ＡＦモード表示では、被写体画像が表示モニタ１７の全領域に表示される。
【００２９】
（フォーカスアシスト表示の説明）
次に、ステップＳ１３におけるフォーカスアシスト表示処理の詳細について説明する。まず、設定されたフォーカスエリア１７１Ａ，１７１Ｂとマーク１７２〜１７５との対応関係について説明する。本実施の形態では、表示モニタ１７上において左側にあるフォーカスエリア１７１Ａと左側の三角マーク１７２および丸マーク１７３とを対応付け、表示モニタ１７上において右側にあるフォーカスエリア１７１Ｂと右側の三角マーク１７５および丸マーク１７４とを対応付ける。
【００３０】
三角マーク１７２，１７５は撮影者に撮影レンズのピント位置を報知するマークであり、後述するようにこれらのマークの点灯・消灯により左側の被写体Ａと被写体Ｂとの間にピントが合っているか、被写体Ａ，Ｂ共に後ピンか、被写体Ａ，Ｂ共に前ピンかが分かる。ここで。前ピン、後ピン等の判定は、フォーカスレンズ１ｂを移動したときの焦点評価値の増減ΔＣＡおよびΔＣＢの符号（プラス、マイナス）に基づいて判定する。図６は、マーク１７２〜１７５の点灯条件を表にまとめたものである。なお、同一評価値曲線であっても、フォーカスレンズ１ｂを「至近→∞」のように移動する場合と「∞→至近」のように移動する場合とではΔＣＡ、ΔＣＢの符号が逆転するので、レンズ移動方向も判定条件の一つとして考慮する。
【００３１】
まず、フォーカスレンズ１ｂを「∞→至近」と移動させた場合について考える。図５のｘａ＜ｘ≦（無限端）において「∞→至近」と移動させた場合、ΔＣＡ＞０およびΔＣＢ＞０となる。レンズ位置がｘｂ≦ｘ≦ｘａの場合には、ΔＣＡ＜０およびΔＣＢ＞０となる。さらに、レンズ位置が（至近端）≦ｘ＜ｘｂの場合には、ΔＣＡ＜０およびΔＣＢ＜０となる。そして、ＣＢ＞０となるｘｂ≦ｘ≦（無限端）では、左側の三角マーク１７２を点灯表示し、ＣＡ＜０となる（至近端）≦ｘ≦ｘａでは、右側の三角マーク１７５を点灯表示する。
【００３２】
一方、フォーカスレンズ１ｂを「至近→∞」と移動させた場合には符号が逆転するので、ｘａ＜ｘ≦（無限端）ではΔＣＡ＜０およびΔＣＢ＜０となり、ｘｂ≦ｘ≦ｘａではΔＣＡ＞０およびΔＣＢ＜０、（至近端）≦ｘ＜ｘｂではΔＣＡ＞０およびΔＣＢ＞０となる。よって、ＣＢ＜０となるｘｂ≦ｘ≦（無限端）では、左側の三角マーク１７２を点灯表示し、ＣＡ＞０となる（至近端）≦ｘ≦ｘａでは、右側の三角マーク１７５を点灯表示する。
【００３３】
また、丸マーク１７３は、フォーカスエリア１７１Ａにほぼピントが合っているどうかを示すマークであり、ほぼピントが合っていれば点灯表示され、ピントが合っていない場合には消灯表示される。一方、丸マーク１７４は、フォーカスエリア１７１Ｂにほぼピントが合っているどうかを示すマークである。
【００３４】
ピントがほぼ合っているか否かは次のように判定する。レンズ位置ｘがサーチスキャンで得られたピーク位置ｘａを中心とする幅Δｘの範囲に入っていて、かつ、フォーカスエリア１７１Ａの焦点評価値ＣＡが合焦閾値Ath以上の場合に、すなわち、｜ｘ−ｘａ｜≦ΔｘかつＣＡ≧Athの場合に、フォーカスエリア１７１Ａの被写体にピントがほぼ合っていると判定する。同様に、｜ｘ−ｘｂ｜≦ΔｘかつＣＢ≧Bthの場合に、フォーカスエリア１７１Ｂの被写体にピントがほぼ合っていると判定する。
【００３５】
図６に示すような点灯条件とすると、図５に示すような評価値曲線Ｌａ，Ｌｂに対しては、レンズ位置に応じて図７に示すような表示形態となる。レンズ位置（ｘ４〜無限端）における第１の表示形態では、図６の条件「∞→至近でΔＣＢ＞０」と「至近→∞でΔＣＢ＜０」だけが満足されるので、左側の三角マーク１７２だけが点灯表示される。第１の表示形態は、ピント位置が図４に示す左側の被写体Ａ（すなわち、フォーカスエリア１７１Ａ内の被写体）よりも無限側であること、すなわち被写体Ａ，Ｂの両方に対して後ピンであることを示している。
【００３６】
レンズ位置（ｘａ〜ｘ４）における第２の表示形態では、さらに条件「｜ｘ−ｘａ｜≦ΔｘかつＣＡ≧Ath」も満足されるため、三角マーク１７２に加えて左側の丸マーク１７３も点灯表示される。第２の表示形態は、左側の被写体Ａにピントが合っているが、若干後ピン状態であることを示している。
【００３７】
レンズ位置（ｘ３〜ｘａ）における第３の表示形態では、第２の表示形態の条件に加えてさらに条件「∞→至近でΔＣＡ＜０」と「至近→∞でΔＣＡ＞０」も満足されるため、マーク１７２，１７３に加えて右側の三角マーク１７５も点灯表示される。左右の三角マーク１７２，１７５が点灯表示されている場合には、ピント位置が被写体Ａと被写体Ｂとの間にあることを示している。また、丸マーク１７３も表示されているので被写体Ａにピントが合っており、若干前ピン状態であることが分かる。
【００３８】
なお、ここでは、被写体Ａにピントが合う範囲（ｘ３〜ｘ４）を２つの範囲（ｘ３〜ｘａ）、（ｘａ〜ｘ４）に分けて表示形態を変えたが、第３の表示形態に統一しても良い。この場合、被写体Ａに対するピント状態が前ピンか後ピンかは区別できないが、被写体Ａにピントが合っていることは分かる。
【００３９】
レンズ位置（ｘ２〜ｘ３）における第４の表示形態では、条件「∞→至近でΔＣＡ＜０およびΔＣＢ＞０」と「至近→∞でΔＣＡ＞０およびΔＣＢ＜０」とは満足しているが、条件「｜ｘ−ｘａ｜≦ΔｘかつＣＡ≧Ath」および「｜ｘ−ｘｂ｜≦ΔｘかつＣＢ≧Bth」は満足されないので、左右の三角マーク１７２，１７５だけが点灯表示される。第４の表示形態では、被写体Ａ，Ｂにはピントが合っていないが、被写体Ａ，Ｂ間にピント位置があることが分かる。
【００４０】
なお、被写体Ａ，Ｂが近接していて、評価値曲線Ｌａ，Ｌｂが図８（ａ）に示すような状態の場合には、｜ｘ−ｘａ｜≦Δｘのレンズ位置範囲と｜ｘ−ｘｂ｜≦Δｘのレンズ位置範囲とが一部分で重なり合い、レンズ位置ｘ３とレンズ位置ｘ２の位置関係が逆転する。この場合、レンズ位置（ｘ３〜ｘ２）においては、ＣＡ≧AthおよびＣＢ≧Bthが満足されるので、図８（ｂ）に示すように両方の丸マーク１７３，１７４が点灯表示されることになる。
【００４１】
レンズ位置（ｘｂ〜ｘ２）における第５の表示形態では、第４の表示形態の条件に加えて条件「｜ｘ−ｘｂ｜≦ΔｘかつＣＢ≧Bth」も満足されるので、三角マーク１７２，１７５に加えて右側の丸マーク１７４も点灯表示される。第５の表示形態は、ピント位置が被写体Ａ，Ｂ間にあって、かつ、被写体Ｂにピントが合っていることが分かる。この場合、被写体Ｂは若干後ピン状態になっている。
【００４２】
レンズ位置（ｘ１〜ｘｂ）における第６の表示形態では、条件「∞→至近でΔＣＡ＜０」および「至近→∞でΔＣＡ＞０」と、条件「｜ｘ−ｘｂ｜≦ΔｘかつＣＢ≧Bth」とが満足されるので、右側の三角マーク１７５と右側の丸マーク１７４とが点灯表示される。第６の表示形態は、右側の被写体Ｂにピントが合っているが、若干前ピン状態であることを示している。
【００４３】
なお、ここでは、被写体Ｂにピントが合う範囲（ｘ１〜ｘ２）を２つの範囲（ｘ１〜ｘｂ）、（ｘｂ〜ｘ２）に分けて表示形態を変えたが、第５の表示形態に統一しても良い。この場合、被写体Ｂに対するピント状態が前ピンか後ピンかは区別できないが、被写体Ｂにピントが合っていることは分かる。
【００４４】
レンズ位置（至近端〜ｘ１）における第７の表示形態では、条件「∞→至近でΔＣＡ＜０」と「至近→∞でΔＣＡ＞０」だけが満足されるので、右側の三角マーク１７５だけが点灯表示される。第７の表示形態は、ピント位置が右側の被写体Ｂよりも無限側であること、すなわち被写体Ａ，Ｂの両方に対して前ピンであることを示している。
【００４５】
［その他の表示形態］
上述した実施の形態では、４つのマーク１７２〜１７５を用いて、現在のレンズ位置におけるピント位置やピント状態を表示したが、これは一例であって、この表示形態に限定されるものではない。例えば、図９，１０に示すようなフォーカスアシスト表示を行っても良い。図９（ａ）に示すフォーカスアシスト表示は、表示モニタ１７にバー表示３０を表示するものである。バー表示３０には、ゾーン３００Ａ，３００Ｂ、ラインマーク３０１が設けられている。
【００４６】
ラインマーク３０１は、フォーカスレンズ１ｂのレンズ位置を示す指標であって、レンズ位置に応じて左右方向に移動する。図９（ａ）に示す例では、図５の評価値曲線Ｌａ，Ｌｂのピーク位置から分かるように左側の被写体Ｂは被写体Ａよりも無限遠側に位置しているので、バー表示３０の左端が無限端に対応していることを示す表示３０３を、バー表示３０の左側の表示するようにした。一方、バー表示３０の右端が至近端に対応しているので、それを示す表示３０２を。バー表示３０の右側に表示するようにした。逆に、被写体Ｂよりも右側に表示されている被写体Ａの方が無限遠側に位置している場合には、バー表示３０の右側に表示３０３が表示され、左側に表示３０２が表示される。なお、図２に示した表示形態の場合にも、表示３０２，３０３を適用することができる。
【００４７】
ゾーン３００Ａは被写体Ａにピントが合うレンズ位置範囲を示しており、ゾーン３００Ｂは被写体Ｂにピントが合うレンズ位置範囲を示している。ピントが合う範囲の幅は、ゾーン３００Ａ，３００Ｂの幅によって表される。撮影者がフォーカスリング１５を回転操作すると、そのときのレンズ位置に応じてラインマーク３０１が左右に移動する。ラインマーク３０１がゾーン３００Ａ，３００Ｂ内に入っている場合には、被写体Ａ，Ｂにピントがあっていることを示している。
【００４８】
また、ラインマーク３０１がゾーン３００Ａよりも右側にある場合には、被写体Ａ，Ｂに対して前ピン状態であることを示している。同様に、ラインマーク３０１がゾーン３００Ｂよりも左側にある場合には被写体Ａ，Ｂに対して後ピン状態であることを示し、ゾーン３００Ａ，３００Ｂ間にある場合には、ピント位置は被写体Ａと被写体Ｂとの間にあることを示す。なお、被写体Ａ，Ｂが接近していて焦点評価値Ｌａ，Ｌｂが図９（ａ）に示すような状態の場合には、ゾーン３００Ａ，３００Ｂは一部が重なって表示される。その場合、ゾーン３００Ａ，３００Ｂおよび重なり部分を異なる表示色とすることで、重なり状態が視認しやすくなる。
【００４９】
図９（ｂ）に示すフォーカスアシスト表示では、丸マーク１７２，１７３と、ラインマーク４０と、評価値曲線Ｌａ，Ｌｂを表示するようにした。丸マーク１７２，１７３は、図２に示したものと同一の表示であり、被写体Ｂ，Ａにピントが合っているか否かを表示するマークである。ラインマーク４０も上述したラインマーク３０１と同様の指標であり、レンズ位置に応じて左右方向に移動する。この場合、評価値曲線Ｌａ，Ｌｂとラインマークとの位置関係で、ピント位置を容易に知ることができる。
【００５０】
また、焦点評価値曲線Ｌａ，Ｌｂに変えて、フォーカスエリア１７１Ａ，１７１Ｂの被写体に関する焦点評価値を、フォーカスエリア１７１Ａ，１７１Ｂの近傍に数値で表示するようにしても良い。その場合、それぞれのピーク値の焦点評価値を基準としてパーセント表示することにより、どの程度ピントが合っているのかを容易に知ることができ、パーセント表示の数値等により、どの程度ピントズレしているかが分かる。
【００５１】
図１０（ａ）に示すフォーカスアシスト表示では、被写体Ａ，Ｂともに後ピン状態の場合にはマーク５０を点灯表示し、逆に、ともに前ピン状態の場合にはマーク５２を点灯表示する。ピント位置が被写体Ａ，Ｂ間にある場合には、マーク５１を点灯表示する。さらに、左側の被写体Ｂにピントが合っている場合には、マーク５１，５２を点灯表示し、左側のマーク５１を点滅表示する。逆に右側の被写体Ａにピントが合っている場合には、マーク５０，５１を点灯表示し、マーク５２を点滅表示する。また、被写体Ａ，Ｂの両方にピントが合っている場合には、マーク５１を点灯表示し、マーク５０，５２を点滅表示する。
【００５２】
図１０（ｂ）に示すフォーカスアシスト表示では、前後に並んだ２つのマーク６０Ａ，６０Ｂを設けた。無限側の被写体Ｂにピントが合っている場合には、後ろ側のマーク６０Ｂのみを点灯表示する。逆に、至近側の被写体Ａにピントが合っている場合には、前側のマーク６０Ａのみを点灯表示する。そして、被写体Ａ，Ｂの両方にピントが合っている場合には、両方のマーク６０Ａ，６０Ｂを点灯表示する。
【００５３】
上述したフォーカスアシスト表示では、ピント位置とピント状態とが分かるような表示形態としたが、いずれか一方のみを表示するようにしても良い。例えば、図１０（ａ）のように３つのマーク５０〜５２を備えているものにおいて、ピント位置を表示する場合は、被写体Ａ，Ｂともに後ピン状態の場合にはマーク５０を点灯表示し、逆に、ともに前ピン状態の場合にはマーク５２を点灯表示し、ピント位置が被写体Ａ，Ｂ間にある場合にはマーク５１を点灯表示する。なお、ピント位置のみを表示する場合には、合焦閾値Ath，Bthを求める必要がないので、上述したサーチスキャンを省略することができる。
【００５４】
また、ピント状態のみを表示する場合、マーク５０の点灯表示により被写体Ｂにピントが合っていることを、マーク５２の点灯表示で被写体Ａにピントがあっていることをそれぞれ表す。被写体Ａ，Ｂ間にピントが合っている場合には、マーク５１を点灯表示する。
【００５５】
以上説明した実施の形態では、以下のような作用効果を奏する。
（１）被写界に少なくとも２つの焦点検出エリア１７１Ａ，１７１Ｂが設定でき、各焦点検出エリア１７１Ａ，１７１Ｂの被写体を基準とする焦点調節状態、すなわち、被写体Ａ，Ｂの両方に関して前ピンか後ピンか、それとも被写体Ａ，Ｂ間にピントが合っているかを、マーク１７２，１７５（図２参照）の表示形態から容易に知ることができる。そのため、マニュアルフォーカス時に、現在のレンズ位置の概略を素早く知ることができる。また、マニュアルで被写体Ａ，Ｂ間にピントを合わせたい場合にも、表示形態を参考にして簡単にフォーカシングを行うことができる。
（２）さらに、マーク１７３，１７４を設けたことにより、被写体Ａ，Ｂに対する合焦・非合焦を容易に知ることができる。
（３）焦点評価値を用いて合焦状態を検出する場合であっても、焦点評価値の変化（増加・減少）に基づいて焦点調節状態、すなわち、ピント位置が被写体Ａ，Ｂに対して前ピンか後ピンそれとも中間か、および被写体Ａ，Ｂに対する合焦・非合焦を知ることができる。
【００５６】
上述した実施の形態では、カメラの表示モニタ１７にフォーカスアシスト表示（マーク１７２〜１７５等）を表示したが、ファインダを備えるカメラでは、ファインダ内にフォーカスアシスト表示をしても良い。また、焦点評価値を用いて焦点検出を行うカメラに限らず、位相差方式のカメラにも同様に適用することができる。
【００５７】
さらに、表示により報知する方法以外に、音や音声によって焦点調節状態を報知するようにしても良い。また、本発明の特徴を損なわない限り、本発明は上記実施の形態に何ら限定されるものではない。
【図面の簡単な説明】
【００５８】
【図１】本発明の一実施の形態に係るカメラを説明する図である。
【図２】カメラ背面に設けられた表示モニタ１７、および操作入力部１８に設けられた各種操作ボタン類を示す図である。
【図３】フォーカスアシスト機能を説明するフローチャートである。
【図４】フォーカスエリア１７１Ａ，１７１Ｂの設定方法を説明する図である。
【図５】評価値曲線Ｌａ，Ｌｂを示す図である。
【図６】マーク１７２〜１７５の点灯条件を示す図である。
【図７】レンズ位置に応じたマーク１７２〜１７５の表示形態を示す図である。
【図８】被写体Ａ，Ｂが近接している場合の表示形態を説明する図であり、（ａ）は評価値曲線Ｌａ，Ｌｂを示し、（ｂ）はマーク１７２〜１７５の表示形態を示す。
【図９】フォーカスアシスト表示の他の例を示す図であり、（ａ）は第１の例を、（ｂ）は第２の例を示す。
【図１０】フォーカスアシスト表示の他の例を示す図であり、（ａ）は第３の例を、（ｂ）は第４の例を示す。
【符号の説明】
【００５９】
１：撮影レンズユニット    １ｂ：フォーカスレンズ    ２：撮像素子
９：評価値演算部    １０：制御部    １２：絞り    １３：絞り駆動部
１４：ＡＦ駆動部    １５：フォーカスリング    １７：表示モニタ
１８：操作入力部    １９：フォーカスレンズ位置検出装置
３０：バー表示    １７０：視野枠  ４０，３０１：ラインマーク
５０〜５２，６０Ａ，６０Ｂ，１７２〜１７５：マーク
１７１，１７１Ａ，１７１Ｂ：フォーカスエリア    ３００Ａ，３００Ｂ：ゾーン
Ａ，Ｂ：被写体    Ｌａ，Ｌｂ：評価値曲線
【図１】
2007240935.tif 000003
【図２】
2007240935.tif 000004
【図３】
2007240935.tif 000005
【図４】
2007240935.tif 000006
【図５】
2007240935.tif 000007
【図６】
2007240935.tif 000008
【図７】
2007240935.tif 000009
【図８】
2007240935.tif 000010
【図９】
2007240935.tif 000011
【図１０】
2007240935.tif 000012